(57)【要約】【課題】  機体の進行に伴って機体側方の農作物に対し上下に幅広い範囲にわたって薬液や液肥等を噴霧する構成を低コストに実現できるようにする。【解決手段】  本発明の噴霧機１は、前輪としての一つの第一車輪２と、後輪としての左右一対の第二車輪３と、第一車輪２及び第二車輪３に支持された機体４と、機体４左右方向に延びるアーム軸５ａによって該機体４に揺動可能に支持されており、該機体４前後方向に延びる揺動アーム５と、該揺動アーム５の先端に取り付けられたノズル部６と、第二車輪３の車軸１３を枢軸として回転するクランク７と、クランク７及び揺動アーム５を連結する連杆８とを備えている。そして、機体４の進行に伴って第二車輪３が転動すると、クランク７及び連杆８を介して揺動アーム５が揺動して、ノズル部６が上下に往復動するように構成されている。【選択図】      図１
2005333873.tif 000002
【特許請求の範囲】
【請求項１】
車輪に支持された機体と、該機体に揺動可能に支持された揺動アームと、該揺動アームの先端側に取り付けられたノズル部と、前記車輪の回転力により駆動されるクランクと、前記クランク及び前記揺動アームをリンクし、前記クランクの回転力により前記揺動アームを揺動させる連杆とを備えた噴霧機。
【請求項２】
前記機体は、人力により走行させるように構成された請求項１記載の噴霧機。
【請求項３】
前記機体は、原動機により車輪を回転駆動して走行させるように構成された請求項１記載の噴霧機。
【請求項４】
前記ノズル部は、前記揺動アームに着脱可能に取り付けられた請求項１〜３のいずれか一項に記載の噴霧機。
【発明の詳細な説明】
【技術分野】
【０００１】
本発明は、薬液、液肥等を噴霧するための噴霧機に関するものである。
【背景技術】
【０００２】
従来の噴霧機として、特許文献１に記載された自走型防除器を例示する。この防除器は、両側に複数段にわたって薬液散布用の噴霧ノズル７１を設けた支柱５４を、自動走行する車体フレーム５１の前面に立設している。そして、支柱５４の下端に重錘６８を設けて、この支柱５４を車体フレーム５１の前面の高さを調整できる位置で自在継手６１により左右方向及び後方向に揺動可能となるように取り付けている。
【０００３】
【特許文献１】特開平９−７０２４９号公報
【発明の開示】
【発明が解決しようとする課題】
【０００４】
ところが、一般に噴霧ノズル７１は高価な部品であるため、多数の噴霧ノズル７１を備えた従来の防除器は、コストが掛かるという課題がある。特に、例えば静電噴霧機のように、噴霧の液滴を帯電させる構成を採用しようとすると、個々の噴霧ノズル７１に前記液滴を帯電させるための電極、その電極に高電圧を印加する配線、漏電を防止するカバー等を設ける必要があるため、さらにコストが増大するし、これらの付加的な部品により各噴霧ノズル７１の重量が増大してしまう。従って、従来の防除器に、このような噴霧の液滴を帯電させる構成を採用することは非常に難しい。
【課題を解決するための手段】
【０００５】
上記課題を解決するために、本発明の噴霧機は、
車輪に支持された機体と、該機体に揺動可能に支持された揺動アームと、該揺動アームの先端側に取り付けられたノズル部と、前記車輪の回転力により駆動されるクランクと、前記クランク及び前記揺動アームをリンクし、前記クランクの回転力により前記揺動アームを揺動させる連杆とを備えている。
【０００６】
この構成によれば、前記機体の進行に伴って前記揺動アームが揺動し、これにより該揺動アーム先端側の前記ノズル部が自動的に往復動するように構成されているので、該機体の進行に伴って農作物に対し幅広い範囲にわたって薬液や液肥等を噴霧することができる。また、幅広い範囲に渡って噴霧するために、複数段にわたって噴霧ノズルを列設した従来例とは異なり、前記ノズル部を往復動させる構成を採用しているので、多数のノズル部を設ける必要がなく、コストを低減することができる。
【０００７】
前記機体を走行させるための構成としては、特に限定されないが、次の態様を例示する。
（１）前記機体は、人力により走行させるように構成された態様。
（２）前記機体は、原動機により車輪を回転駆動して走行させるように構成された態様。
【０００８】
前記ノズル部は、前記揺動アームに着脱可能に取り付けられた態様を例示する。
【０００９】
この構成によれば、適宜前記ノズル部を取り外して手持ちすることにより、該ノズル部の往復移動範囲外の箇所にも噴霧することができる。
【発明の効果】
【００１０】
本発明に係る噴霧機によれば、機体の進行に伴って機体側方の農作物に対し上下に幅広い範囲にわたって薬液や液肥等を噴霧する構成を低コストに実現できるという優れた効果を奏する。
【発明を実施するための最良の形態】
【００１１】
図１〜図４は本発明を具体化した第一実施形態の噴霧機を示している。この噴霧機１は、前輪としての一つの第一車輪２と、後輪としての左右一対の第二車輪３と、第一車輪２及び第二車輪３に支持された機体４と、該機体４に揺動可能に支持された揺動アーム５と、該揺動アーム５の先端側に取り付けられたノズル部６と、第二車輪３の回転力により駆動されるクランク７と、該クランク７及び揺動アーム５をリンクする連杆８と、機体４後部に取り付けられた手押し式ハンドル９とを備えている。そして、本噴霧機１は、作業者が人力で手押し式ハンドル９を押すことにより、走行させるようになっている。なお、各図において、矢印Ｆは機体前側を指し示している。
【００１２】
機体４は、前後方向に延びるベース部１１と、該ベース部１１に立設された支柱１２とを備えている。ベース部１１の前部には、第一車輪２が回転自在かつ方向転回自在に取り付けられている。ベース部１１の後部には、左右一対の第二車輪３が回転自在に取り付けられている。両第二車輪３をつなぐ車軸１３は、その中央部が凸状に折曲形成されてなる両持ち式のクランク７の枢軸にもなっている。
【００１３】
揺動アーム５は、機体４前後方向に延びるロッド状に形成されており、その長さ方向の中間部が機体４左右方向に延びるアーム軸５ａにより揺動自在に支柱に支持されている。揺動アーム５における機体４前方側端部には、ホルダ部２０が設けられており、該ホルダ部２０には、ノズル部６が着脱可能に取り付けられている。特に限定されないが、本例のホルダ部２０は、前後一対の正面視Ｕ字状凹部２１と、該両凹部内に装着されたノズル部６を着脱可能に固定する固定手段２２とを備えている。また、揺動アーム５における機体４後方側端部には、機体４左右両方向へ錘取付部２３が突設されており、該錘取付部２３には左右一対のバランス錘２４が着脱可能に取り付けられている。バランス錘２４は、ノズル部６の重量に応じた重量のものが装着され、これにより揺動アーム５を小さい力で揺動させることができるようにしている。
【００１４】
連杆８は、長さ調節手段を備えるとともに、一端側がクランク７の先端部に軸支され、他端側が揺動アーム５におけるアーム軸５ａから機体４後方側に間隔をおいた部位に設けられた取付部材２６に軸支されている。取付部材２６は、揺動アーム５に、その長さ方向にスライド自在に装着されるとともに、固定手段としてのロックボルト２７により位置固定されている。長さ調節手段としては、特に限定されないが、本例では、筒状に形成された連杆本体２８と、該連杆本体２８にスライド可能に挿入されたスライド部２９と、連杆本体２８に対するスライド部２９の位置を固定する固定手段としてのロックボルト３０とにより構成されている。
【００１５】
ノズル部６は、本例では揺動アーム５から取り外すと手持式として使用できるように構成されており、作物の病気や虫の防除用薬液を送るポンプ（図示略）にホース３３を介して接続されている。このノズル部６は、手持ち支持される基部としてのグリップ部３４と、該グリップ部３４に長さ方向の一端側が支持された支持部としての噴管３５と、該噴管３５の長さ方向の他端側に取り付けられた噴霧部としての一対のノズルヘッド３７，３７とを備えている。一対のノズルヘッド３７，３７は、噴管３５に対してそれぞれ回動可能に支持されており、高電圧により帯電させた液滴の噴霧Ｓを各ノズルヘッド３７，３７から噴出するように構成されている。図１〜図４に示すように、両ノズルヘッド３７，３７をそれぞれ左右に向けると、例えば、噴霧機１に畝間を走行させながら、噴霧機１両側の農作物に対して同時に噴霧することができるようになっている。
【００１６】
次に、本発明の噴霧機１の一連の動作例を図４に基づいて説明する。本例の噴霧機１は、同図（ａ）、（ｂ）、（ｃ）の順に、機体４の進行に伴って第二車輪３が転動すると、その車軸１３の回転がクランク７及び連杆８を介して揺動アーム５を揺動させる。これにより、揺動アーム５の先端側に取り付けられたノズル部６が上下に往復動するように構成されている。なお、連杆８の長さや、揺動アーム５に対する取付部材２６の固定位置を適宜調節することにより、ノズル部６の往復動の中心位置や、ノズル部６の往復動の幅を変更することができるようになっている。
【００１７】
以上のように構成された本例の噴霧機１によれば、機体４の進行に伴って揺動アーム５が揺動し、これにより該揺動アーム５先端側のノズル部６が自動的に上下に往復動するように構成されているので、該機体４の進行に伴って機体４側方の農作物に対し上下に幅広い範囲にわたって薬液や液肥等を噴霧することができる。また、上下に幅広い範囲に渡って噴霧するために、上下に複数段にわたって噴霧ノズルを列設した従来例とは異なり、ノズル部６を上下に往復動させる構成を採用しているので、多数のノズル部６を設ける必要がなく、コストを低減することができる。
【００１８】
また、ノズル部６は、揺動アーム５に着脱可能に取り付けられているので、適宜ノズル部６を取り外して手持ちすることにより、該ノズル部６の往復移動範囲外の箇所にも噴霧することができる。
【００１９】
次に、図５は本発明を具体化した第二実施形態を示している。この噴霧機４１は、以下に示す点において、主に第一実施形態と相違している。従って、同実施形態と共通する部分については、同一符号を付することにより重複説明を省く。
【００２０】
本例の噴霧機４１は、第二車輪３を機体４前部に、第一車輪２を機体４後部にそれぞれ設け、第二車輪３に連結されたクランク７と揺動アーム５の後部とを連杆８により連結した構成としている。図５に二点鎖線で示すように、クランク７と揺動アーム５の前部とを連杆８により連結した構成とすることもできる。なお、第一実施形態においても、クランク７と揺動アーム５の前部とを連杆８により連結した構成を採用することができる。
【００２１】
本例の噴霧機４１によっても、第一実施形態と同様の効果を得ることができる。
【００２２】
なお、本発明は前記実施形態に限定されるものではなく、例えば以下のように、発明の趣旨から逸脱しない範囲で適宜変更して具体化することもできる。
（１）車軸１３とは別にクランク７の枢軸を設け、車軸１３の回転力を公知の伝動機構によりクランク７の枢軸に伝動するように構成すること。この伝動機構に変速機構を設けることもでき、そうすると揺動アーム５の揺動速度を適宜変速することができる。
（２）機体４を、エンジンや電動モータ等の原動機により第二車輪３等の車輪を回転駆動して走行させるように構成すること。
（３）揺動アーム５を揺動しないように固定する固定手段と、該揺動アーム５及びクランク７のリンクを解除するリンク解除手段を設け、ノズル部６の高さを固定可能に構成すること。リンク解除手段としては、特に限定されないが、連杆８を着脱自在に構成した態様、揺動アーム５又はクランク７から連杆８を取り外し可能に構成した態様、連杆８の長さ方向途中部を伸縮自在な状態にすることができるように構成した態様等を例示する。
（４）揺動アーム５が左右に揺動するように構成し、これによりノズル部６を左右に揺動させ、左右に幅広い範囲に噴霧できるように構成すること。
【図面の簡単な説明】
【００２３】
【図１】本発明を具体化した第一実施形態に係る噴霧機の側面図である。
【図２】同噴霧機の平面図である。
【図３】同噴霧機の後面図である。
【図４】同噴霧機の一連の動作例を示す図である。
【図５】本発明を具体化した第二実施形態に係る噴霧機の側面図である。
【図６】従来の噴霧機を示す正面図である。
【符号の説明】
【００２４】
１    噴霧機
２    第一車輪
３    第二車輪
４    機体
５    揺動アーム
５ａ  アーム軸
６    ノズル部
７    クランク
８    連杆
９    手持ち式ハンドル
１３    車軸
４１    噴霧機
Ｓ    噴霧
【図１】
2005333873.tif 000003
【図２】
2005333873.tif 000004
【図３】
2005333873.tif 000005
【図４】
2005333873.tif 000006
【図５】
2005333873.tif 000007
【図６】
2005333873.tif 000008